(57)【要約】【課題】  航空機の、回転翼飛行と固定翼飛行の両飛行を、簡単に安定して切り替えて飛行できる翼システムを提供する。【解決手段】  両翼が交わる中心点に設けた垂直軸を中心に水平に回転して回転飛行する該回転翼の横に、さらに、もう一体の回転翼を左右対称にして設け、各々の前記垂直軸を、固定翼の機能と形態を備えた支持部材で連接して固定して一体となって回転飛行できるようにして、該回転翼の回転を止めて、2体の該回転翼の翼が水平飛行方向に対して直角線上に左右対称な状態で固定し、水平飛行方向に向けて左右に翼を広げた固定翼として、そのまま飛行できるようにしたことを特徴とする。【選択図】図４
2018144710.tif 000002
【特許請求の範囲】
【請求項１】
両翼が交わる中心点に設けた垂直軸を中心に該両翼が水平に回転して回転飛行する回転翼の航空機において、該回転翼の横に、さらにもう一体の回転翼を横並びに左右対称にして設けて各々の前記垂直軸を横軸等の支持部材で連接して固定して一体となって回転飛行できるようにするとともに、固定翼飛行の為に該回転翼の回転を止めた時に、二体の該回転翼が固定翼モードでの水平飛行方向に対して直角線上に左右対称で、さらに該翼が直線的に連なる様な状態で停止して固定できるようにして水平飛行方向へ向けて左右に翼を広げた固定翼としても飛行できるようにしたことを特徴とした回転翼飛行も固定翼飛行もできる翼システムの航空機。
【請求項２】
請求項1において、二つの左右対称に並べて設けた前記回転翼が回転飛行時には各々の両翼の其々の片翼が回転方向向きで回転飛行するが、固定翼飛行に移行の為各々の前記両翼が直線的に連なる様になる状態で固定された時に、水平飛行方向の前向きとなる其々の翼だけにプロペラ等の推進動力を設けたことを特徴とした回転翼飛行も固定翼飛行もできる翼システムの航空機。
【請求項３】
請求項1において、二つの左右対称に並べて設けた前記回転翼が回転飛行時には各々の両翼の其々の片翼が回転方向向きで回転飛行するが、固定翼飛行に移行の為各々の前記両翼が直線的に連なる様になる状態で固定された時に、水平飛行方向に対して後ろ向きとなる其々の翼側に可変ピッチプロペラによる推進動力を設けて、該翼の回転翼飛行時と固定翼飛行時にも動力飛行ができることを特徴とした回転翼飛行も固定翼飛行もできる翼システムの航空機。
【請求項４】
請求項1において、二つの左右対称に並べて設けた２体の前記回転翼の各々の翼の枚数が３翼以上の場合に、固定翼飛行に移行の為に停止して固定された時には、前記回転翼の各々の翼の向き方向も、左右対称にした向き方向で固定するとともに該各々の翼の内の一翼以上が揚力を得られる向き位置となることを特徴とした回転翼飛行も固定翼飛行もできる翼システムの航空機。
【請求項５】
請求項1において、二つの左右対称に並べて設けた２体の前記回転翼の各々の前記垂直軸を連接して固定して一体化する為の横軸等の前記支持部材を、さらに固定翼の機能と形態を加えた支持部材にしたことを特徴とした回転翼飛行も固定翼飛行もできる翼システムの航空機。
【発明の詳細な説明】
【技術分野】
【０００１】
本発明は、航空機の回転翼飛行及び固定翼飛行の技術に関するものである。
【背景技術】
【０００２】
従来は、航空機の回転翼は固定翼としての機能は無く、非常時に一時的に代用されるか、水平飛行方向向きに回転させて推進動力とする程度であった。
【０００３】
また、回転翼と固定翼との複合機においては、固定翼での水平方向への飛行時には、回転翼は飛行の役割を果さずに自由回転とするか、または、後方に折りたたんで空気抵抗を軽減させる航空機が見受けられる。
【先行技術文献】
【特許文献】
【０００４】
【特許文献１】特表第２００９−５４１１２４号
【特許文献２】特開第２０１４−０６５４７７号
【発明の概要】
【発明が解決しようとする課題】
【０００５】
ここで本発明は、回転翼を固定翼としても利用して、垂直飛行はもちろん高高度への飛行及び長距離の水平飛行をするものである。
【課題を解決するための手段】
【０００６】
本発明は、上記課題を解決するため、以下の手段を採用した。
本発明の請求項１は、両翼が交わる中心点に設けた垂直軸を中心に該両翼が水平に回転して回転飛行する回転翼の航空機において、該回転翼の横に、さらにもう一体の回転翼を横並びに左右対称にして設けて、各々の前記垂直軸を横軸等の支持部材で連接して固定して一体となって回転飛行できるようにするとともに、固定翼飛行の為に該回転翼の回転を止めた時に、二体の該回転翼が固定翼モードでの水平飛行方向に対して直角線上に左右対称で、さらに該翼が直線的に連なる様な状態で停止して固定できるようにして、水平飛行方向へ向けて左右に翼を広げた固定翼として、そのまま飛行できるようにした。
【０００７】
本発明の請求項２は、請求項1において、二つの左右対称に並べて設けた前記回転翼が、回転飛行時には各々の両翼の其々の片翼が回転方向向きで回転飛行するが、固定翼飛行に移行の為、各々の前記両翼が直線的に連なる様になる状態で固定された時に、水平飛行方向に対し前向きとなる其々の翼だけにプロペラ等の推進動力を設けて飛行できるようにした。
【０００８】
本発明の請求項３は、請求項1において、二つの左右対称に並べて設けた前記回転翼が、回転飛行時には各々の両翼の其々の片翼が回転方向向きで回転飛行するが、固定翼飛行に移行の為、各々の前記両翼が直線的に連なる様になる状態で固定された時に、水平飛行方向に対して後ろ向きとなる其々の翼側に可変ピッチプロペラによる推進動力を設けて、該翼の回転翼飛行時と固定翼飛行時にも動力飛行できるようにした。
【０００９】
本発明の請求項４は、  請求項1において、二つの左右対称に並べて設けた２体の前記回転翼の各々の翼の枚数が３翼以上の場合に、固定翼飛行に移行の為に停止して固定された時には、前記回転翼の各々の翼の向き方向も、左右対称の向き方向で固定するとともに、該各々の翼の内の一翼以上が揚力を得られる向き位置となって飛行できるようにした。
【００１０】
本発明の請求項５は、  請求項1において、二つの左右対称に並べて設けた２体の前記回転翼の各々の前記垂直軸を連接して固定して一体化する為の横軸等の前記支持部材を、さらに、固定翼の機能と形態を加えた支持部材にして、安定した飛行が
できるようにした。
【発明の効果】
【００１１】
本発明は、回転翼を、固定翼と同様に水平飛行方向に対して直角線上に左右対称に２体設けたことで、バランスが保たれて、回転翼から固定翼へ簡単に切り替える事ができ、航空機としても安全性が向上するものである。
【図面の簡単な説明】
【００１２】
【図１】は、本航空機の正面図で、最上部の2体の回転翼を左右対称の水平飛行方向向きに固定された状態時を示している。
【図２】は、本航空機の側面図である。
【図３】は、本航空機の平面図である。
【図４】は、本航空機の平面図であるが、２体の回転翼が、各々4枚翼の場合のものである。
【図５】は、回転翼と固定翼機能形態型の支待部材の右端部の部分拡大図で、回転翼の回転停止装置と、固定装置を表している。
【発明を実施するための形態】
【００１３】
翼が交わる中心点に設けた垂直軸を中心に水平に回転して回転飛行する回転翼の横に、さらに、もう一体の同様の回転翼を左右対称に並べて設けて、各々の前記垂直軸を横軸等の支持部材で連接して固定して一体となって回転飛行できるようにするとともに、固定翼飛行に移行の為に前記回転翼の回転を止めて固定した時には、2体の該回転翼は、水平飛行方向に対して、直角線上の左右対称の位置であり、各々の該回転翼の翼が２枚翼の場合は、前記直角線上に直線的に連なる様な状態になるようにして、また、各々の該回転翼の翼が３枚翼以上の場合は、各々の前記回転翼の内の1翼以上を揚力が得られる向きにして、水平飛行方向へ向けた固定翼としても飛行できるようにしたことで、回転翼飛行と固定翼飛行の両飛行を、該回転翼１１の回転と固定の切り替えだけで、選択して飛行できるようにした。
【実施例１】
【００１４】
まず、図面１から図面３までを説明すると、両翼が交わる中心点に設けた垂直軸２０を中心に該両翼が水平に回転して回転飛行する回転翼１１の航空機において、該回転翼１１の横に、さらにもう一体の回転翼１１を左右対称に並べて設けて、各々の前記垂直軸２０を、横軸等からなる固定翼機能形態型の支待部材１３で連接して固定して一体となって回転飛行できるようにするとともに、前記回転翼１１の回転を止めて横並びの二体の該回転翼１１の翼が、固定翼モードでの水平飛行方向に対して直角線上に左右対称で直線的に連なって固定できるようにして、水平飛行方向へ向けて左右に翼を広げた固定翼としても飛行できるようにしている。
【実施例２】
【００１５】
また、二体の左右対称に並べて設けた回転翼１１Rと１１Lが回転飛行時には各々の両翼の其々の片翼が回転方向向きで回転飛行するが、固定翼飛行モードの為各々の前記両翼が連なる様に直線的になって固定された時に、水平進行方向に対して前向きとなる其々の翼だけにプロペラ１８の推進動力を設けている。
【００１６】
次に、図面４を説明すると、二つの左右対称に並べて設けた２体の回転翼１１Rと１１Lの各々の翼の枚数を４翼にして設けているもので、固定翼飛行モードの為に前記回転翼１１Rと１１Lの其々の翼が左右対称の向き位置で停止して固定された状態を示していて、水平進行方向に対して各々の翼の内の１翼だけが揚力が得られる前向きの状態であるが、垂直軸２０を挟んで反対側の翼は、後ろ向き状態になるが、可動翼１６と可変ピッチプロペラ１９による推進動力を設けて、前進の水平飛行ができる様にしている。
【実施例３】
【００１７】
次に、図面５を説明すると、回転翼１１を水平飛行の為に固定翼状態として、其々、右側回転翼１１Rの右部と、右側垂直軸２０Rと、固定翼機能形態型の支待部材１３の右部の部分拡大図で、前記回転翼１１の回転停止装置として、該回転翼１１の下側に収納されていて、必要時に引き出されて、下に向けて垂れ下げることができるフレーム状の掛り受け用枠２３と、前記固定翼機能形態型の支待部材１３の上側に収納されていて、必要時に引き出されて、上方に立ち上げることができ、前記掛り受け用枠２３の下側を捕捉する為の捕捉部と断衝用の引きバネを備えた引掛け具付き伸縮棒２４を設けていて、停止必要時には、各々が上下から出て来て、出会う所定の位置にて結合し、前記回転翼の回転を停止させるもので、前記回転翼の各々の両翼ともに、この回転停止装置を設けているが、設置場所を前記垂直軸２０からの距離をずらしているため、両翼が其々の専用の位置で停止の捕捉が実行されることとなる。
【００１８】
また、前記回転翼１１が停止した後に、前記垂直軸２０Rの上部に設けた回転止ピン２５を、さらに、その上部の前記回転翼１１Rに設けた回転止ピン挿入穴２７に挿入して前記回転翼１１Rを固定できるものである。
【産業上の利用可能性】
【００１９】
回転翼と固定翼の両用の航空機として、回転翼も固定翼として活用でき、また、安定して滑空できるグライダーの様に、翼を長く宏面積にする事ができ、回転翼航空機として、高高度の静止飛行が可能で、さらに、固定翼航空機として、長距離の物資輸送が可能となる。
【符号の説明】
【００２０】
１１…回転翼
１１R…回転翼（右翼）
１１L…回転翼（左翼）
１３…固定翼機能形態型の支待部材
１４…水平尾翼
１５…垂直尾翼
１６…可動翼
１８…プロペラ
１９…可変ピッチプロペラ
２０…垂直軸
２０R…垂直軸（右翼側）
２０L…垂直軸（左翼側）
２３…掛り受け用枠（回転停止装置）
２４…引掛け具付き伸縮棒（回転停止装置）
２５…回転止ピン（回転翼固定装置）
２６…回転止ピン上下動操作棒（回転翼固定装置）
２７…回転止ピン挿入穴（回転翼固定装置）
３１…操縦室窓
３５…脚部
【図１】
2018144710.tif 000003
【図２】
2018144710.tif 000004
【図３】
2018144710.tif 000005
【図４】
2018144710.tif 000006
【図５】
2018144710.tif 000007
【手続補正書】
【提出日】平成29年8月29日(2017.8.29)
【手続補正１】
【補正対象書類名】特許請求の範囲
【補正対象項目名】請求項１
【補正方法】変更
【補正の内容】
【請求項１】
両翼が交わる中心点に設けた垂直軸を中心に該両翼が水平に回転して回転翼飛行する回転翼の航空機において、該回転翼の横に、さらにもう一体の回転翼を横並びに左右対称にして設けて各々の前記垂直軸を横軸等の支持部材で連接して固定して一体となって回転翼飛行できるようにするとともに、該回転翼飛行から固定翼飛行へ移行の為に該回転翼の回転を止めた時に、二体の該回転翼が固定翼モードでの水平飛行方向に対して直角線上に左右対称で、さらに該翼が直線的に連なる様な状態で停止して固定できるようにして水平飛行方向へ向けて左右に翼を広げた固定翼としてそのまま飛行できるようにしたことを特徴とした回転翼飛行も固定翼飛行もできる翼システムの航空機。
【手続補正２】
【補正対象書類名】特許請求の範囲
【補正対象項目名】請求項２
【補正方法】変更
【補正の内容】
【請求項２】
請求項1において、二つの左右対称に並べて設けた前記回転翼が回転翼飛行時には各々の両翼の其々の片翼が回転方向向きで回転翼飛行するが、固定翼飛行に移行の為各々の前記両翼が直線的に連なる様になる状態で固定された時に、水平飛行方向の前向きとなる其々の翼だけにプロペラ等の推進動力を設けたことを特徴とした回転翼飛行も固定翼飛行もできる翼システムの航空機。
【手続補正３】
【補正対象書類名】特許請求の範囲
【補正対象項目名】請求項３
【補正方法】変更
【補正の内容】
【請求項３】
請求項1において、二つの左右対称に並べて設けた前記回転翼が回転翼飛行時には各々の両翼の其々の片翼が回転方向向きで回転翼飛行するが、固定翼飛行に移行の為各々の前記両翼が直線的に連なる様になる状態で固定された時に、水平飛行方向に対して後ろ向きとなる其々の翼側に可変ピッチプロペラによる推進動力を設けて、該翼の回転翼飛行時と固定翼飛行時にも動力飛行ができることを特徴とした回転翼飛行も固定翼飛行もできる翼システムの航空機。
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
両翼が交わる中心点に設けた垂直軸を中心に該両翼が水平に回転して回転翼飛行する回転翼の航空機で、該回転翼の横に、さらにもう一体の回転翼を横並びに左右対称にして設けて各々の前記垂直軸を横軸等の支持部材で連接して固定して一体となって回転翼飛行できるようにするとともに、該回転翼飛行から固定翼飛行へ移行の為に該回転翼の回転を止めた時に、二体の該回転翼が固定翼モードでの水平飛行方向に対して直角線上に左右対称で、さらに該翼が直線的に連なる様な状態で停止して固定できるようにして水平飛行方向へ向けて左右に翼を広げた固定翼としてそのまま飛行できるようにした回転翼飛行も固定翼飛行もできる航空機において、二つの左右対称に並べて設けた前記回転翼が回転翼飛行時には各々の両翼の其々の片翼が回転方向向きで回転翼飛行するが、固定翼飛行に移行の為各々の前記両翼が直線的に連なる様になる状態で固定された時に、水平飛行方向の前向きとなる其々の翼だけにプロペラ等の推進動力を設けたことを特徴とした回転翼飛行も固定翼飛行もできる翼システムの航空機。
【請求項２】
請求項1において、二つの左右対称に並べて設けた２体の前記回転翼の各々の翼の枚数が３翼以上の場合に、固定翼飛行に移行の為に停止して固定された時には、前記回転翼の各々の翼の向き方向も、左右対称にした向き方向で固定するとともに該各々の翼の内の一翼以上が揚力を得られる向き位置となることを特徴とした回転翼飛行も固定翼飛行もできる翼システムの航空機。